(57)【要約】【課題】センタ振り分け方式と片端ガイド固定方式とを切り換え可能であって名刺サイズなどの小さな原稿であっても対応することが可能な給紙トレイ及びそれを備えた事務機器の提供を目的とする。【解決手段】用紙ガイドが同じ量だけ逆方向に移動するように連動させ、間隔を変化させる連動機構４は、用紙ガイドとともにそれぞれ移動するラック１０ａ，１０ｂと、ラック１０ａに噛合するピニオン１１ａと、ピニオン１１ａと同軸１２上に設けられ、ラック１０ｂに噛合するピニオン１１ｂと、用紙ガイドの一方に外力が加えられたときにはピニオン１１ａ，１１ｂが同期状態となり、かつ用紙ガイドの両方にピニオン１１ａ，１１ｂの同期状態に逆らう外力が加えられたときにはピニオン１１ａ，１１ｂとが非同期状態となるための摩擦力を発生させる摩擦パッド１３とを備える。【選択図】図４
2009292541.tif 000002
【特許請求の範囲】
【請求項１】
トレイ本体に給紙方向と直交する方向に移動可能に設けられ、用紙の幅に応じて間隔が調整可能な第１および第２の用紙ガイドと、
この第１および第２の用紙ガイドが同じ量だけ逆方向に移動するように連動させ、間隔を変化させる連動機構とを備え、
前記連動機構は、前記給紙方向と直交する方向に延びた一対のラックであって、前記第１および第２の用紙ガイドとともにそれぞれ移動する第１および第２のラックと、
前記第１のラックに噛合する第１のピニオンと、
この第１のピニオンと同軸上に設けられ、前記第２のラックに噛合する第２のピニオンと、
前記第１のピニオンと第２のピニオンとの間に設けられ、前記第１または第２の用紙ガイドの一方に外力が加えられたときには前記第１のピニオンと第２のピニオンとが同期状態となり、かつ前記第１および第２の用紙ガイドの両方に前記第１のピニオンと第２のピニオンとの同期状態に逆らう外力が加えられたときには前記第１のピニオンと第２のピニオンとが非同期状態となるための摩擦力を発生させる摩擦パッドと
を備えた給紙トレイ。
【請求項２】
前記第１のピニオンおよび第２のピニオンを前記摩擦パッドに押圧する押圧手段を備えた請求項１記載の給紙トレイ。
【請求項３】
前記摩擦パッドの摩擦係数は０．７〜０．９であり、前記押圧手段による押圧荷重は１１〜１５Ｎである請求項２記載の給紙トレイ。
【請求項４】
前記摩擦パッドは、シリコーンゴム製である請求項１または２に記載の給紙トレイ。
【請求項５】
スライド可能な第１のラック及び第２のラックと、
前記第１のラックのスライドと連動して回転する第１のピニオンと、
前記第２のラックのスライドと連動して回転する第２のピニオンと、
前記第１のピニオンと前記第２のピニオンのそれぞれから摩擦力を受けて回転する摩擦パッドとを有する給紙トレイ。
【請求項６】
前記第１のラックおよび前記第２のラックに用紙の端部を規制する用紙ガイドを設けたことを特徴とする請求項５記載の給紙トレイ。
【請求項７】
請求項５または請求項６記載の給紙トレイを備えたことを特徴とする事務機器。
【発明の詳細な説明】
【技術分野】
【０００１】
本発明は、トレイ本体に給紙方向と直交する方向に移動可能に設けられ、用紙の幅に応じて間隔が調整可能な用紙ガイドを備えた給紙トレイ及びそれを備えた事務機器に関する。
【背景技術】
【０００２】
従来から一対の用紙ガイドの間隔を用紙の幅に応じて変化させる連動機構を備えた給紙トレイが広く知られている（例えば、特許文献１参照。）。この給紙トレイでの一対の用紙ガイドは、給紙トレイのセンターに関して常に対称位置にあり、同じ量だけ逆方向に移動するように連動される。このため、どのサイズの用紙がセットされても、用紙の中心が給紙方向と直交する方向以外にずれることはない。従って、このセンター振り分け方式を採用した場合、給送ローラをセンターに関して対称に配設することで、どのサイズの用紙であっても、斜行を生じさせることなく安定に給送できるという利点がある。
【０００３】
ところで、金融機関等で用いられる汎用スキャナにおいては、同一帳票の二重読み取り等を防止するため、読み取った帳票（用紙）に対しては、スキャナ内で、読み取ったことを示すデータ（例えば数桁の数値データ）を、帳票表面の左端部（あるいは右端部）に印字することが行われている。この帳票のサイズは複数あり、異なる幅の帳票が存在するため、センター振り分け方式の給紙トレイでは、帳票の幅によって、帳票表面の左端部（あるいは右端部）の位置も給紙方向と直交する方向に変動することになる。このため、読み取ったことを示す上記データを印字すべき位置も帳票の幅によって変化することになり、帳票の幅に応じて印字位置を調整し直すという面倒な作業が必要である。
【０００４】
この面倒さを解消するために、左端側（あるいは右端側）の用紙ガイドを固定し、右端側（あるいは左端側）の用紙ガイドのみを用紙の幅に応じて調整するという片端ガイド固定方式を採用することも考えられるが、汎用スキャナにおける多くの読み取りでは、センター振り分け方式での作業が望まれるため、現実には、給紙トレイを片端ガイド固定方式のものにすることもできない。
【０００５】
そこで、これらの問題を解決するために、センター振り分け方式と片端ガイド固定方式のいずれをも選択できる給紙トレイが開発されている（例えば、特許文献２参照。）。この給紙トレイは、トレイ本体に給紙方向と直交する方向に移動可能に設けられ、用紙の幅に応じてその間隔が調整可能な一対の用紙ガイドと、一対の用紙ガイドが同じ量だけ逆方向に移動するように用紙ガイドを連動させ、用紙ガイドの間隔を変化させる連動機構と、連動機構による一対の用紙ガイドの連動を解除して、一対の用紙ガイドの少なくとも一方を調整位置にロック可能なロック手段とを有する。
【０００６】
ここで、連動機構は、給紙方向と直交する方向に延びた一対のラックであって、その歯先が対向するように配置され、ラックの一方は一対の用紙ガイドの一方と共に給紙方向と直交する方向に移動し、他方は一対の用紙ガイドの他方と共に給紙方向と直交する方向に移動するラックと、一対のラックの一方に噛合する第１のピニオンと、一対のラックの他方に噛合する第２のピニオンと、トレイ本体に回転自在に支持され、第１及び第２のピニオンの少なくとも一方と中間歯車との噛合する中間歯車とからなり、ロック手段は、第１及び第２のピニオンの少なくとも一方と中間歯車との噛合を解除する噛合解除手段と、第１及び第２のピニオンの少なくとも一方の回転を規制する回転規制手段とからなる。
【０００７】
この給紙トレイは、一対のラックの間に第１及び第２のピニオンと中間歯車とを配設した簡単な歯車列を用いたもので、第１及び第２のピニオンと中間歯車とを連動させることで、センター振り分け方式の給紙トレイとして使用できる。
【０００８】
一方、第１又は第２のピニオンと中間歯車との噛合を解除し、第１又は第２のピニオンの回転を規制することで、片端ガイド固定方式の給紙トレイとして使用できる。
【特許文献１】特開平１０−１３９１７５号公報
【特許文献２】特開２００４−３５２４６３号公報
【発明の開示】
【発明が解決しようとする課題】
【０００９】
ところが、上記（特許文献２）に記載の給紙トレイでは、第１及び第２のピニオンと中間歯車とが一列に並べられて配置されており、幅を取っているため、一対の用紙ガイドの間隔をあまり狭くすることができない。そのため、この給紙トレイでは、名刺サイズなどの小さな原稿には対応することができない。
【００１０】
そこで、本発明においては、センター振り分け方式と片端ガイド固定方式とを切り換え可能であって名刺サイズなどの小さな原稿であっても対応することが可能な給紙トレイを提供することを目的とする。
【課題を解決するための手段】
【００１１】
上記課題を解決するため、本発明に係る給紙装置は、トレイ本体に給紙方向と直交する方向に移動可能に設けられ、用紙の幅に応じて間隔が調整可能な第１及び第２の用紙ガイドと、この第１及び第２の用紙ガイドが同じ量だけ逆方向に移動するように連動させ、間隔を変化させる連動機構とを備え、連動機構は、給紙方向と直交する方向に延びた一対のラックであって、第１及び第２の用紙ガイドと共にそれぞれ移動する第１及び第２のラックと、第１のラックに噛合する第１のピニオンと、この第１のピニオンと同軸上に設けられ、第２のラックに噛合する第２のピニオンと、第１のピニオンと第２のピニオンとの間に設けられ、第１又は第２の用紙ガイドの一方に外力が加えられたときには第１のピニオンと第２のピニオンとが同期状態となり、かつ第１及び第２の用紙ガイドの両方に第１のピニオンと第２のピニオンとの同期状態に逆らう外力が加えられたときには第１のピニオンと第２のピニオンとが非同期状態となるための摩擦力を発生させる摩擦パッドとを備えたことを特徴とする。
【発明の効果】
【００１２】
本発明によれば、連動機構の第１及び第２のピニオンが同軸上に設けられているので、第１及び第２の用紙ガイドの間隔を狭くすることができる。又、第１又は第２の用紙ガイドの一方に外力が加えられたときには第１のピニオンと第２のピニオンとが、これらの間の摩擦パッドにより発生する摩擦力によって同期状態となり、第１及び第２の用紙ガイドが連動する。
【００１３】
一方、この摩擦パッドにより発生する摩擦力は、第１及び第２の用紙ガイドの両方に第１のピニオンと第２のピニオンとの同期状態に逆らう外力が加えられたときには、第１のピニオンと第２のピニオンとが非同期状態となり、第１及び第２の用紙ガイドが非連動で作動する。
【００１４】
これにより、センター振り分け方式と片端ガイド固定方式とを切り換え可能であって名刺サイズなどの小さな原稿であっても対応することが可能な給紙トレイが得られる。
【発明を実施するための最良の形態】
【００１５】
本願の第１の発明は、トレイ本体に給紙方向と直交する方向に移動可能に設けられ、用紙の幅に応じて間隔が調整可能な第１及び第２の用紙ガイドと、この第１及び第２の用紙ガイドが同じ量だけ逆方向に移動するように連動させ、間隔を変化させる連動機構とを備え、連動機構は、給紙方向と直交する方向に延びた一対のラックであって、第１及び第２の用紙ガイドと共にそれぞれ移動する第１及び第２のラックと、第１のラックに噛合する第１のピニオンと、この第１のピニオンと同軸上に設けられ、第２のラックに噛合する第２のピニオンと、第１のピニオンと第２のピニオンとの間に設けられ、第１又は第２の用紙ガイドの一方に外力が加えられたときには第１のピニオンと第２のピニオンとが同期状態となり、かつ第１及び第２の用紙ガイドの両方に第１のピニオンと第２のピニオンとの同期状態に逆らう外力が加えられたときには第１のピニオンと第２のピニオンとが非同期状態となるための摩擦力を発生させる摩擦パッドとを備えた給紙トレイである。連動機構の第１及び第２のピニオンが同軸上に設けられているので、第１及び第２の用紙ガイドの間隔を狭くすることができる。
【００１６】
又、第１又は第２の用紙ガイドの一方に外力が加えられたときには第１のピニオンと第２のピニオンとが、これらの間の摩擦パッドにより発生する摩擦力によって同期状態となり、第１及び第２の用紙ガイドが連動する。
【００１７】
一方、この摩擦パッドにより発生する摩擦力は、第１及び第２の用紙ガイドの両方に第１のピニオンと第２のピニオンとの同期状態に逆らう外力が加えられたときには、第１のピニオンと第２のピニオンとが非同期状態となり、第１及び第２の用紙ガイドが非連動で作動する。
【００１８】
これにより、センター振り分け方式と片端ガイド固定方式とを切り換え可能であって名刺サイズなどの小さな原稿であっても対応することが可能な給紙トレイが得られる。
【００１９】
本願の第２の発明は、上記第１のピニオン及び第２のピニオンを摩擦パッドに押圧する押圧手段を備えたものであることを特徴とする。
【００２０】
これにより、押圧手段の押圧力を調整することによって、第１のピニオンと第２のピニオンとが同期又は非同期で作動するときの外力の基準値を設定することが可能となる。
【００２１】
本願の第３の発明は、上記摩擦パッドの摩擦係数が０．７〜０．９であり、押圧手段による押圧荷重が１１〜１５Ｎであることを特徴とする。
【００２２】
これにより、通常の使用状態においては、第１又は第２の用紙ガイドの一方に外力が加えられたときに第１のピニオンと第２のピニオンとが同期し、第１及び第２の用紙ガイドの両方に同期状態に逆らう外力が加えられたときに第１のピニオンと第２のピニオンとが非同期となる。
【００２３】
本願の第４の発明は、摩擦パッドが、シリコーンゴム製であることを特徴とする。摩擦パッドがシリコーンゴム製である場合、第１又は第２の用紙ガイドの一方に外力が加えられたときに第１のピニオンと第２のピニオンとを同期させ、第１及び第２の用紙ガイドの両方に第１のピニオンと第２のピニオンとの同期状態に逆らう外力が加えられたときには第１のピニオンと第２のピニオンとが非同期となる適切な摩擦力を発生させることができる。又、繰り返しの使用によっても塑性変形しにくく、長期間に亘って安定的に上記摩擦力を発生させることが可能である。
【００２４】
（実施の形態）
以下、本発明の実施の形態について、図面を参照して説明する。
【００２５】
図１は本発明の実施の形態における給紙トレイの表面側からみた斜視図、図２は本発明の実施の形態における給紙トレイの裏面側からみた斜視図、図３は図１のＡ−Ａ断面図、図４は図３のＣ部拡大図、図５は図１のＢ−Ｂ断面図、図６は図１の給紙トレイの用紙ガイドを最も狭めた状態を示す平面図、図７は図６の下面図、図８は図１の給紙トレイを片側ガイド固定方式とした状態を示す平面図である。尚、図１〜図５は用紙ガイドを最も広げた状態を示している。
【００２６】
図１において、給紙トレイ１は、トレイ本体２に、給紙方向と直交する方向に移動可能に設けられた第１の用紙ガイド３ａ及び第２の用紙ガイド３ｂを備えたものである。この給紙トレイ１は、スキャナ、プリンタ、ファクシミリや複写機などの給紙装置（図示せず。）に取り付けられている。用紙ガイド３ａ，３ｂは用紙の幅に応じて間隔を調整することが可能であり、トレイ本体２の上面に載置された用紙は用紙ガイド３ａ，３ｂによってガイドされて給紙装置へ供給される。又、この給紙トレイ１は、用紙ガイド３ａ，３ｂが同じ量だけ逆方向に移動するように連動させ、間隔を変化させる連動機構４を備える（図２及び図３参照。）。
【００２７】
連動機構４は、図４及び図５に示すように、トレイ本体２の裏面側で給紙方向と直交する方向に延びた一対のラック１０ａ，１０ｂと、一対のラック１０ａ，１０ｂにそれぞれ噛合するピニオン１１ａ，１１ｂと、軸１２と、摩擦パッド１３と、押圧手段としてのスプリング１４とから構成される。
【００２８】
尚、ラック１０ａ，１０ｂ及びピニオン１１ａ，１１ｂのモジュールは全て等しく、ピニオン１１ａ，１１ｂの歯数は同一である。又、ラック１０ａの歯は、ピニオン１１ａの歯幅に合わせて形成されており、ピニオン１１ａにのみ噛合するようになっている。ラック１０ｂの歯も同様に、ピニオン１１ａには噛合せず、ピニオン１１ｂにのみ噛合するように形成されている。
【００２９】
又、ピニオン１１ａ，１１ｂは軸１２上に設けられている。トレイ本体２には、給紙方向と直交する方向に一対の直線ガイド孔２ａ，２ｂ（図１参照。）が設けられており、ラック１０ａ，１０ｂは、それぞれ直線ガイド孔２ａ，２ｂを通じてトレイ本体２の表面側の用紙ガイド３ａ，３ｂに連結されている。また、ラック１０ａ，１０ｂは、それぞれ直線ガイド孔２ａ，２ｂに沿ってスライド可能である。
【００３０】
ピニオン１１ａ，１１ｂは、軸１２に対して回転可能に軸支されている。摩擦パッド１３は、シリコーンゴム製の中空円板であり、ピニオン１１ａ，１１ｂの間にピニオン１１ａ，１１ｂからの摩擦力を受けながら挟持されている。又、軸１２の先端にはピニオン１１ｂ等が軸１２から脱落しないようにロックピン１５が設けられており、これと反対側のピニオン１１ａに対してトレイ本体２側からスプリング１４によって押圧力が掛けられている。このスプリング１４の押圧力によって、ピニオン１１ａ，１１ｂは摩擦パッド１３に押圧される。この押圧力により、摩擦パッド１３とピニオン１１ａ，１１ｂとの間には摩擦力が生じている。
【００３１】
そして、この摩擦パッド１３は、用紙ガイド３ａ，３ｂの一方に外力が加えられたときにはピニオン１１ａ，１１ｂが同期状態となり、かつ用紙ガイド３ａ，３ｂの両方にピニオン１１ａ，１１ｂの同期状態に逆らう外力が加えられたときにはピニオン１１ａ，１１ｂが非同期状態となるための摩擦力を発生する。
【００３２】
このような連動機構４によって、用紙ガイド３ａ，３ｂの一方に外力が加えられたときにはピニオン１１ａ，１１ｂと摩擦パッド１３との間に生ずる摩擦力が、ピニオン１１ａ，１１ｂと摩擦パッド１３との最大静止摩擦力を越えないので、ピニオン１１ａがピニオン１１ｂと同期してスライドし、用紙ガイド３ａ，３ｂの移動も連動する。
【００３３】
それに対し、用紙ガイド３ａ，３ｂの両方に一定以上の外力が加えられると、ピニオン１１ａ，１１ｂと摩擦パッド１３との間に生ずる摩擦力が、ピニオン１１ａ，１１ｂと摩擦パッド１３との最大静止摩擦力を越えるため、ピニオン１１ａとピニオン１１ｂとが独立に非同期でスライドし、用紙ガイド３ａ，３ｂも一方だけを移動させることができる。
【００３４】
尚、本実施の形態において摩擦パッド１３に用いたシリコーンゴムは硬度５９度、摩擦係数０．８であり、スプリング１４の押圧荷重は１３Ｎであるが、摩擦パッド１３の材質やスプリング１４の押圧荷重を調整することによってピニオン１１ａ，１１ｂが同期又は非同期で作動するときの外力の基準値を任意に設定することが可能である。又、摩擦パッド１３の摩擦係数は０．７〜０．９、スプリング１４の押圧荷重は１１〜１５Ｎの範囲が通常の使用状態においては最適である。
【００３５】
次に、上記構成の給紙トレイ１の用紙ガイド３ａ，３ｂの動作例について説明する。
【００３６】
まず、用紙ガイド３ａ，３ｂが図１に示す位置にある状態から、用紙ガイド３ａ，３ｂのうちいずれか一方に内側（トレイ本体２の中央側）へ向かって外力を加えると、摩擦パッド１３によって発生する摩擦力によってピニオン１１ａ，１１ｂは同期状態となっており、用紙ガイド３ａ，３ｂは連動して内側へ移動する。
【００３７】
そして、この給紙トレイ１では、連動機構４のピニオン１１ａ，１１ｂが同じ軸１２上に設けられているので、図６及び図７に示す状態まで用紙ガイド３ａ，３ｂの間隔を狭くすることができ、名刺サイズなどの小さな原稿であっても対応することが可能である。
【００３８】
逆に、用紙ガイド３ａ，３ｂが図６及び図７に示す位置から、用紙ガイド３ａ，３ｂのうちいずれか一方に外側へ向かって外力を加えた場合も同様に、摩擦パッド１３によって発生する摩擦力によってピニオン１１ａ，１１ｂは同期状態となっており、用紙ガイド３ａ，３ｂは連動して外側へ移動する。
【００３９】
尚、用紙ガイド３ａ，３ｂのいずれか一方のみに外力を加えるのではなく、両方にピニオン１１ａ，１１ｂの同期状態に逆らわないように内側又は外側に外力を加えた場合も同様に連動して移動する。
【００４０】
又、用紙ガイド３ａ，３ｂが図１に示す位置にある状態から、一方の用紙ガイド３ｂを押さえて固定したまま、他方の用紙ガイド３ａに対して内側へ向かって外力を加えた場合、つまり、用紙ガイド３ａ，３ｂの両方にピニオン１１ａ，１１ｂの同期状態に逆らって、ピニオン１１ａ，１１ｂと摩擦パッド１３との間の最大静止摩擦力を越える外力を加えた場合には、ピニオン１１ａ，１１ｂと摩擦パッド１３との間に滑りが発生し、ピニオン１１ａ，１１ｂが非同期状態となる。
【００４１】
これにより、用紙ガイド３ａ，３ｂは非連動で作動し、図８に示すように用紙ガイド３ａのみが内側へ移動する。
【００４２】
逆に、図８に示す状態から用紙ガイド３ｂを押さえて固定したまま、他方の用紙ガイド３ａに対して外側へ向かって外力を加えた場合も同様に、ピニオン１１ａ，１１ｂは非同期状態となり、用紙ガイド３ａ，３ｂは非連動で作動し、図１に示す位置へ戻すことができる。
【００４３】
尚、図８に示す状態から用紙ガイド３ａ，３ｂのうちいずれか一方に内側へ向かって外力を加えると、摩擦パッド１３によって発生する摩擦力によってピニオン１１ａ，１１ｂは同期状態となり、用紙ガイド３ａ，３ｂは図８に示す位置から連動して内側へ移動する。
【００４４】
以上のように、本実施の形態における給紙トレイ１では、用紙ガイド３ａ，３ｂに加える外力によって連動機構４による用紙ガイド３ａ，３ｂの連動を解除又は有効にして、センター振り分け方式と片端ガイド固定方式とを切り換えることができる。
【産業上の利用可能性】
【００４５】
本発明の給紙トレイ及びそれを備えた事務機器は、スキャナ、プリンタ、ファクシミリや複写機などの事務機器に備えられる給紙装置の給紙トレイとして有用である。特に、本発明は、センター振り分け方式と片端ガイド固定方式とを切り換え可能であって名刺サイズなどの小さな原稿であっても対応することが可能な給紙トレイとして好適である。
【図面の簡単な説明】
【００４６】
【図１】本発明の実施の形態における給紙トレイの表面側からみた斜視図
【図２】本発明の実施の形態における給紙トレイの裏面側からみた斜視図
【図３】図１のＡ−Ａ断面図
【図４】図３のＣ部拡大図
【図５】図１のＢ−Ｂ断面図
【図６】図１の給紙トレイの用紙ガイドを最も狭めた状態を示す平面図
【図７】図６の下面図
【図８】図１の給紙トレイを片側ガイド固定方式とした状態を示す平面図
【符号の説明】
【００４７】
１    給紙トレイ
２    トレイ本体
２ａ，２ｂ    直線ガイド孔
３ａ，３ｂ    用紙ガイド
４    連動機構
１０ａ，１０ｂ    ラック
１１ａ，１１ｂ    ピニオン
１２    軸
１３    摩擦パッド
１４    スプリング
１５    ロックピン
【図１】
2009292541.tif 000003
【図２】
2009292541.tif 000004
【図３】
2009292541.tif 000005
【図４】
2009292541.tif 000006
【図５】
2009292541.tif 000007
【図６】
2009292541.tif 000008
【図７】
2009292541.tif 000009
【図８】
2009292541.tif 000010